(57)【特許請求の範囲】
【請求項１】
鉄筋コンクリート建物の壁を形成する仮枠構造において、壁コンクリート用仮枠せき板に用いた透明平板樹脂を固定するため、透明平板樹脂の室内側に平板鋼板を縦に複数本配置し室内側の端部を鋼板で固定した透明せき板樹脂押え部材を配置し、セパレーター用の穴を開けた固定鋼板の側部に、上部に置き台を成形した略Ｌ形状の平板乗せ鋼板の端部を固定してせき板押え部材を形成すると共に、セパレーターを固定鋼板の穴に挿入してナットで固定し、平板乗せ鋼板の置き台の上部に、Ｌ形状の平板鋼板押え部を成形した平板鋼板押え部材を乗せ、平板鋼板押え部材とせき板押え部材を固定し、平板鋼板押え部が平板鋼板を押すことにより平板鋼板で透明平板樹脂を固定したことを特長とする鉄筋コンクリート建物を成形する透明仮枠構造。
【発明の詳細な説明】
【技術分野】
【０００１】  本発明は、鉄筋コンクリート建物の壁を形成する仮枠構造において、壁に用いる仮枠せき板を透明樹脂板で成形した仮枠に関するものである。
【背景技術】
【０００２】  鉄筋コンクリート建物の壁を形成する仮枠にコンクリートを打設する際、コンクリートは、材料を適切に選定し、施工性能に優れて硬化後の品質が確保されるように配合が行われると、通常は仮枠の中にスムーズに打ち込まれ、しっかりと締め固めをしておけば耐久性のある壁を造ることができる。
しかし、コンクリートを打ち込みやすくすることは、流動性を高めることになり、その流動性に応じて材料分離抵抗性（つまり、コンクリートの粘性）を高めなければ、材料分離（粗骨材がモルタル部分から離れる現象）が発生する。
また、材料分離抵抗性を高めても、流動させれば骨材は沈み、流動しやすいモルタルは流れて分離する。
また、一般的にコンクリートの打設時には高周波バイブレーターを使用するが、高周波バイブレーターでコンクリートに振動を長く与えると骨材が沈み、材料分離が生じる。
材料分離をすると、モルタルの多い箇所ではひび割れが生じやすくなるものの、ジャンカ（コンクリートの表面に骨材が集まった「豆板」、コンクリートの内部が詰まっていない「空洞」、コンクリートの表面に空洞が見られる「巣」等を総称してジャンカと呼ぶ）はできない。
ジャンカができるのは、骨材が集まるような打ち込みが主原因である。
たとえば、長い斜めシュートでコンクリートを打ち込むと、粗骨材は転がって遠い方に骨材が集まり、モルタルは粘性が高いためシュート面に沿ってゆっくり流れ、シュートの下で分離する。
配筋された仮枠内に斜めシュートを用いて打ち込む場合に、この分離を見逃すと、部分的に粗骨材が集まってジャンカができることがある。
また、ポンプ圧送による打ち込みは、材料分離を少なくさせる打ち込み方法の一つと考えられているが、打ち始めの時点や段取り替えの際に、配管内のコンクリートが落下することになり、骨材が先に走ってジャンカを造ることがある。
ジャンカができる要因にはいくつかのパターンがある。
▲１▼流動性が不足して未充てんになる場合。
▲２▼打込み速度が速く締固めが不十分になる場合。
▲３▼粗骨材が一部に集まる場合（この場合は、高周波バイブレーターで振動を与えてもモルタルは粗骨材の隙間を充てん出来ない）。
▲４▼モルタルが仮枠の隙間から抜け出して骨材だけが残される場合。
いずれも材料分離による影響が原因で発生する。
配筋状態や仮枠の形状に応じた施工性能をもつコンクリートであれば、▲１▼や▲２▼の原因のジャンカはできないし、仮枠を精度よく組み立てていれば▲４▼はあり得ない。しかし、▲３▼の原因は案外と見逃されやすく、ポンプ圧送を用いた施工であるにもかかわらず、ジャンカが生じてしまうことがある。
順調に圧送されている段階では筒先のフレキシブルホースを水平にして打ち込むため、筒先からの落下高さは自ずと小さく、問題になるほどの材料分離は生じないが、ところが、仮枠内のコンクリートをバランスよく打ち上げていくためには、筒先を移動する必要が生ずる。
その際には、フレキシブルホース内のコンクリートを一旦吐き出し、ブームを他の場所に移動して打込みを再開するが、ブームの中では斜めシュートの材料分離と同様の現象が起き、コンクリートの中で粗骨材が先行して吐き出されてしまう。
このように、仮枠にコンクリートを打ち込む際は、常にジャンカの発生を予測し、事前に、対策を講ずることが必要である。【０００３】  しかしながら、工事現場で一般的に用いられている木製仮枠のほとんどは、厚手のベニヤ板（コンパネ）の片側表面にコンクリートの付着を防ぐよう、平滑にするための塗料が塗布された合板仮枠のため、仮枠内部の打ち込まれたコンクリートの状態を見ることができないためジャンカの生じた場所を特定することができず、従来は、職人の経験と感覚だけで高周波バイブレーター等を使用して対応してきたため、ジャンカの発生を未然に防ぐことは困難であった。【０００４】  発生したジャンカを補修する一般的な方法としては、ジャンカの程度によりＡ〜Ｅの補修方法がある。
Ａ：砂利が表面に露出していない場合。
補修は不要。
Ｂ：砂利が露出しているが、表面の砂利を叩いても剥落することがなく、はつり取る必要がない程度。
補修方法は、ポリマーセメントモルタル等を塗布。
Ｃ：砂利が露出し、表層の砂利を叩くと剥落する場合。
補修方法は、不用部分をはつり取り正常な部分を露出させ、ポリマーセメントペースト等を塗布後、ポリマーセメントモルタル等を充填。
Ｄ：鋼材のかぶりから、やや奥まで砂利が露出し、空洞も観られる場合。
補修方法は、不用部分をはつり取り正常な部分を露出させ、無収縮モルタルを充填する。
Ｅ：コンクリートの内部に空洞が多数見られる。
補修方法は、不用部分をはつり取り正常な部分を露出させ、コンクリートで打ち換える。
このように、ジャンカを補修する作業には、多くの労力とお金が必要であった。
【先行技術文献】
【０００５】  上記のような問題が発生しているため、半透明の樹脂を用いたパネル仮枠が数社から販売されている。
その中でも日本プラスチック型枠工業会に所属する「天馬株式会社」が製造販売しているリサイクル可能な複合強化プラスチック製型枠、商品名「カタパネル」、さらに、「大和技研工業株式会社」が製造販売しているコンクリート打設用樹脂製型枠、商品名「セフコン」が一般に知られている。
【発明の概要】
【発明が解決しようとする課題】
【０００６】  このように、コンクリートを打ち込む際に仮枠内部を観察することができる、半透明製のプラスチック製仮枠も市販されているが、プラスチック製仮枠は、金型を用いてプレス機により製作するため縦横のサイズが限定され、木製型枠のように縦横サイズを自由に製作することが困難であった。【０００７】  さらに、市販されているプラスチック製仮枠は、いずれの製品も半透明のため、コンクリート打ち込んでいる最中の仮枠内部のコンクリートの状態を正確に把握することが難しく、そのため、高周波バイブレーター等を的確な位置に挿入し振動時間を調整してジャンカを防ぐことが困難であった。【０００８】  本発明は、コンクリート建物の壁の仮枠にコンクリートを打ち込む際、仮枠内部のコンクリートの状態を監察することができると共に、仮枠せき板のサイズを、自由に形成できる仮枠を提供することを目的とする。
【課題を解決するための手段】
【０００９】  かかる課題を解決するため、請求項１に記載の発明は、鉄筋コンクリート建物の壁を形成する仮枠構造において、壁コンクリート用仮枠せき板に用いた透明平板樹脂を固定するため、透明平板樹脂の室内側に平板鋼板を縦に複数本配置し室内側の端部を鋼板で固定した透明せき板樹脂押え部材を配置し、セパレーター用の穴を開けた固定鋼板の側部に、上部に置き台を成形した略Ｌ形状の平板乗せ鋼板の端部を固定してせき板押え部材を形成すると共に、セパレーターを固定鋼板の穴に挿入してナットで固定し、平板乗せ鋼板の置き台の上部に、Ｌ形状の平板鋼板押え部を成形した平板鋼板押え部材を乗せ、平板鋼板押え部材とせき板押え部材を固定し、平板鋼板押え部が平板鋼板を押すことにより平板鋼板で透明平板樹脂を固定したことを特長とする。
【発明の効果】
【００２３】  請求項１に記載の発明によれば、鉄筋コンクリート建物の壁を形成する仮枠構造において、壁コンクリート用仮枠せき板に用いた透明平板樹脂を固定するため、透明平板樹脂の室内側に平板鋼板を縦に複数本配置し室内側の端部を鋼板で固定した透明せき板樹脂押え部材を配置し、セパレーター用の穴を開けた固定鋼板の側部に、上部に置き台を成形した略Ｌ形状の平板乗せ鋼板の端部を固定してせき板押え部材を形成すると共に、セパレーターを固定鋼板の穴に挿入してナットで固定し、平板乗せ鋼板の置き台の上部に、Ｌ形状の平板鋼板押え部を成形した平板鋼板押え部材を乗せ、平板鋼板押え部材とせき板押え部材を固定し、平板鋼板押え部が平板鋼板を押すことにより平板鋼板で透明平板樹脂を固定したことにより、仮枠にコンクリートを打ち込む際、打ち込まれたコンクリートの状態を把握することが出来るようになり、高周波バイブレーター等を的確な位置に挿入し振動時間を調整してジャンカを防ぐことが可能になった。
【実施例１】
【００３７】  以下、この発明の実施の形態１について説明する。
［発明の実施の形態１］【００３８】  図１乃至図３には、この発明の実施の形態１を示す。【００３９】  図１で示すように、壁（外壁、室内間仕切り壁の何れかの壁）の一方の建て込みに使用するパネル仮枠は、従来から、鉄筋コンクリート建物の仮枠を組立てる現場で日常的に用いられてきた厚手のベニヤ板（コンパネ）の片側表面にコンクリートの付着を防ぐよう平滑にするための塗料（黄色であることが多い）が塗布された合板仮枠（仮枠せき板３と桟木４で形成される）を用い、合板仮枠にはプラスチックコーン９、セパレーター８が取付けられ、型枠締付具（図示せず）と単管２と合板仮枠（仮枠せき板３と桟木４で形成される）で壁の一方の仮枠が形成される。【００４０】  他方の建て込みに使用するパネル仮枠は、仮枠せき板に、平板で透明な樹脂（アクリル板又は、塩ビ板又は、ＰＥＴ板又は、ポリカーボネート板）の透明平板樹脂５（板厚１ｍｍ、２ｍｍ、３ｍｍ、４ｍｍ、５ｍｍ、６ｍｍを部位により適位使用）を用い、透明平板樹脂５には、仮枠の一方のパネル仮枠に取付けた複数のセパレーター８の位置に対応した位置に複数個所の穴３６を開け、透明平板樹脂５の横方向には、隣り合う透明平板樹脂７の端部を嵌め込み固定するため、左右に凹状の嵌め込み部を形成し、Ｈ形で縦長の形状をしたＨ形固定部材６を配置し、隣り合う透明平板樹脂５と透明平板樹脂７の端部をＨ形固定部材６に差し込むことにより、パネル仮枠が連続した状態で形成されると共に、透明平板樹脂を必要な巾に切断することにより、必要なサイズのパネル仮枠を簡単に形成することが可能となった。【００４１】  さらに、透明平板樹脂５の室内側には、透明平板樹脂５を室内側から押えるため、平板鋼板１１（厚さ３．２ｍｍ、巾３０ｍｍ）を透明平板樹脂５に対して直角に複数本配置し、平板鋼板１１の室内側の平板鋼板押え当接部３８を、横方向に配置した複数枚の平板状の鋼板１０で固定させる。【００４２】  さらに、室内側には、透明平板樹脂５と平板鋼板１１を室内側から固定するため、図２ａで示すように、四角形で上部中央に穴２１を開けた固定鋼板２０の側部に、先端部にＬ形状のＬ形部２４と、概ね前後中央に四角形で中央部に穴２３を開けた置き台１８を直角に折り曲げ形成した平板乗せ鋼板１９を直角に取付けた、せき板押え部材２５を配置し、せき板押え部材２５の上部には、平板鋼板１１を透明平板樹脂５に固定するため、長方形の平板鋼板をＬ形に曲げ、せき板押え部材２５の置き台１８の穴２３に対応する位置に穴１７を開けた平板鋼板押え部材１２が配置される。【００４３】  さらに、透明平板樹脂５の下部には、床スラブに透明平板樹脂５を固定するため、床スラブ固定部３１と挟み部３３で形成したＬ形状のＬ形スラブ固定鋼板３２と、同様に、床スラブ固定部２７と挟み部３０で形成したＬ形状のＬ形スラブ固定鋼板２９が配置される。【００４４】  図２は、図１で説明した、床スラブの上に、透明平板樹脂５の下部を両側から挟み込むように、Ｌ形スラブ固定鋼板２９の挟み部３０と、Ｌ形スラブ固定鋼板３２の挟み部３３の間の隙間が透明平板樹脂５の板厚と同一寸法になるように上下に重ねて配置し、透明平板樹脂５の端部と透明平板樹脂７の端部をＨ形固定部材６の���右の凹部に挟み込み、Ｌ形スラブ固定鋼板２９の挟み部３０と、Ｌ形スラブ固定鋼板３２の挟み部３３の間に透明平板樹脂５を挿入し、２枚のＬ形スラブ固定鋼板２９、Ｌ形スラブ固定鋼板３２に開けた穴２８、穴３５にビス３４を挿入し、Ｌ形スラブ固定鋼板２９とＬ形スラブ固定鋼板３２をビス３４で床スラブに固定し、さらに合板仮枠に取付けたセパレーター８の位置に対応して透明平板樹脂５にも穴３６を開けると共に、セパレーター８にナット（図示せず）を取付け、壁厚（コンクリート厚さ）を調整し、さらに、セパレーター８を透明平板樹脂５の穴３６に挿入したあと、せき板押え部材２５の固定鋼板２０に開けた穴２１に挿入し、ナット２２でせき板押え部材２５をセパレーター８に固定し、平板鋼板１１を透明平板樹脂５に押し付けるように配置した状態を示す。【００４５】  図３は、図１と図２で説明した、せき板押え部材２５の置き台１８の上部に、平板鋼板押え部材１２の先端部４７を、せき板押え部材２５のＬ形部２４に押し付けるように当接させ、ボルト１４を平板鋼板押え部材１２の穴１７と、せき板押え部材２５に成形した置き台１８の穴２３に挿入し、ナット２６で平板鋼板押え部材１２とせき板押え部材２５を固定することにより、平板鋼板押え部１３が、平板鋼板１１の平板鋼板押え当接部３８と当接し、仮枠にコンクリートを打ち込む際、せき板押え部材２５に固定した平板鋼板押え部材１２の平板鋼板押え部１３が平板鋼板１１を固定し、仮枠に打ち込んだコンクリートの圧力により透明平板樹脂５が膨らむのを防ぐ役目を果たす。【００４６】  なお、平板鋼板押え部材１２の乗せ部１６の縦の寸法４８は、せき板押え部材２５をナット２２でセパレーター８に固定し、平板鋼板１１の透明平板樹脂押え部３７を透明平板樹脂５に接するように配置した際、平板鋼板１１の室内側の平板鋼板押え当接部３８と、せき板押え部材２５の先端部のＬ形部２４の間の寸法を同一寸法にすることにより、せき板押え部材２５の上部に平板鋼板押え部材１２を乗せ、ボルト１４とナット２６でせき板押え部材２５に平板鋼板押え部材１２を固定した際、平板鋼板押え部材１２の平板鋼板押え部１３が平板鋼板１１を固定することにより、平板鋼板１１の透明平板樹脂押え部３７が透明平板樹脂５を固定し、仮枠にコンクリートを打ち込む際、コンクリートの圧力により透明平板樹脂５が膨らむのを防ぐことが可能になると共に、透明平板樹脂５の縦横を必要サイズに切断することにより、必要なサイズのパネル仮枠を簡単に成形することが可能になった。
【実施例２】
【００４７】  以下、この発明の実施の形態２について説明する。
［発明の実施の形態２］【００４８】  図４乃至図６には、この発明の実施の形態２を示す。【００４９】  図４で示すように、壁の一方の建て込みに使用するパネル仮枠は、従来から、鉄筋コンクリート建物の仮枠を組立てる現場で日常的に用いられてきた厚手のベニヤ板（コンパネ）の片側表面にコンクリートの付着を防ぐよう平滑にするための塗料（黄色であることが多い）が塗布された合板仮枠（仮枠せき板５２と桟木５３）を用い、合板仮枠にはプラスチックコーン５８、セパレーター５７が取付けられ、型枠締付具（図示せず）と単管５１と合板仮枠で壁の一方の仮枠が形成される。【００５０】  他方の建て込みに使用するパネル仮枠は、仮枠せき板に、平板で透明な樹脂（アクリル板又は、塩ビ板又は、ＰＥＴ板又は、ポリカーボネート板）の透明平板樹脂５４（板厚１ｍｍ、２ｍｍ、３ｍｍ、４ｍｍ、５ｍｍ、６ｍｍを部位により適位使用）を用い、透明平板樹脂５４には、仮枠の一方の建て込みに使用するパネル仮枠に取付けた複数のセパレーター５７の位置に対応した位置に複数箇所の穴８２を開け、透明平板樹脂５４の横方向には、隣り合う透明平板樹脂５６の端部を嵌め込み固定するため、左右に凹状の嵌め込み部を形成し、Ｈ形で縦長の形状をしたＨ形固定部材５５を配置し、隣り合う透明平板樹脂５４と透明平板樹脂５６の端部をＨ形固定部材５５に差し込むことにより、パネル仮枠が連続した状態で形成されると共に、透明平板樹脂を必要な巾に切断することにより、自由な寸法でパネル仮枠を構築することが可能となった。【００５１】  さらに、透明平板樹脂５４の室内側には、透明平板樹脂５４を室内側から固定するため、図４ａで示すように、四角形で上部中央に穴６７を開けた固定鋼板６８の側部に、先端部にＬ形状のＬ形部７０を成形し、概ね前後中央に四角形で中央部に穴６９を開けた置き台６６を直角に折り曲げ形成した平板乗せ鋼板７１を直角に取付けた、せき板押え部材６５を配置し、せき板押え部材６５の上部には、長方形の平板鋼板をＬ形に折り曲げ、せき板押え部材６５の置き台６６の穴６９に対応する位置に穴６３を開けた透明平板鋼板押え部材６１が配置される。【００５２】  さらに、透明平板樹脂５４の下部には、床スラブに透明平板樹脂５４を固定するため、床スラブ固定部８１と挟み部７８で形成したＬ形状のＬ形スラブ固定鋼板７７と、同様に、床スラブ固定部７４と挟み部７６で形成したＬ形状のＬ形スラブ固定鋼板７５が配置される。【００５３】  図５は、図４で説明した、床スラブの上に透明平板樹脂５４の下部を両側から挟み込むように、床スラブ固定部７４の挟み部７６と、床スラブ固定部８１の挟み部７８の間の隙間が透明平板樹脂５４の板厚と同一寸法になるように上下に重ねて配置し、透明平板樹脂５４の端部と透明平板樹脂５６の端部をＨ形固定部材５５の左右の凹部に挟み込み、Ｌ形スラブ固定鋼板７５の挟み部７６と、Ｌ形スラブ固定鋼板７７の挟み部７８の間に透明平板樹脂５４を挿入し、２枚のＬ形スラブ固定鋼板７５、Ｌ形スラブ固定鋼板７７に開けた穴７３、穴８０にビス７９を挿入し、Ｌ形スラブ固定鋼板７５とＬ形スラブ固定鋼板７７をビス７９で床スラブに固定し、さらに合板仮枠に取付けたセパレーター５７の位置に対応して透明平板樹脂５４にも穴８２を開けると共に、セパレーター５７にナット（図示せず）を取付け、壁厚（コンクリート厚さ）を調整し、さらに、セパレーター５７を透明平板樹脂５４の穴８２に挿入したあと、さらに、せき板押え部材６５の固定鋼板６８に開けた穴６７に挿入し、ナット７２でせき板押え部材６５をセパレーター５７に固定した状態を示す。【００５４】  図６は、図４と図５で説明した、せき板押え部材６５の置き台６６の上部に、透明平板樹脂押え部材６１の先端部８３を、せき板押え部材６５のＬ形部７０に押し付けるように配置し、ボルト６０を透明平板樹脂押え部材６１の穴６３と、せき板押え部材６５の穴６９に挿入しナット６４で透明平板樹脂押え部材６１とせき板押え部材６５を固定することにより、透明平板樹脂押え部材６１の透明平板樹脂押え部５９が透明平板樹脂５４に固定され、仮枠にコンクリートを打ち込む際、コンクリートの圧力により透明平板樹脂５４が膨らむのを防ぐことが可能となった。【００５５】  なお、透明平板樹脂押え鋼板６１の乗せ部６２の縦の寸法８４は、せき板押え部材６５をセパレーター５７にナット７２で固定した際、透明平板樹脂５４の室内側の面から、せき板押え部材６５のＬ形部７０までの寸法を同一寸法にすることにより、せき板押え部材６５の上に透明平板樹脂押え部材６１を乗せ、ボルト６０とナット６４でせき板押え部材６５に透明平板樹脂押え部材６１を固定した際、透明平板樹脂押え部材６１の透明平板樹脂押え部５９を透明平板樹脂５４に固定することが可能となった。
【実施例３】
【００５６】  以下、この発明の実施の形態３について説明する。
［発明の実施の形態３］【００５７】  図７乃至図１３には、この発明の実施の形態３を示す。【００５８】  図７で示すように、壁の一方の建て込みに使用するパネル仮枠は、従来から、鉄筋コンクリート建物の仮枠を組立てる現場で日常的に用いられてきた厚手のベニヤ板（コンパネ）の片側表面にコンクリートの附着を防ぐよう平滑にするための塗料（黄色であることが多い）が塗布された合板仮枠（仮枠せき板９３と桟木９４で構成される）を用い、合板仮枠にはプラスチックコーン９５、セパレーター９６が取付けられ、型枠締付具１６５（図１３に図示する）と単管９２と合板仮枠で壁の一方の仮枠が形成される。【００５９】  他方の建て込みに使用するパネル仮枠は、仮枠せき板に、波板で透明な樹脂（アクリル板又は、塩ビ板又は、ＰＥＴ板又は、ポリカーボネート板）の透明波板樹脂９７（厚さ０．７〜１ｍｍ）を用い、透明波板樹脂９７には、仮枠の一方のパネル仮枠に取付けられた複数のセパレーター９６の位置に対応した位置に複数個所の穴１２３が開けられる。【００６０】  さらに、透明波板樹脂９７の室内側には透明波板樹脂９７を室内側から固定するため、図７ａで示すように、透明波板樹脂９７の谷部９０の形状に合わせ、概ね凹状をして縦長で上部中央に穴１１３を開けた透明波板樹脂受け鋼板１１２と、その透明波板樹脂受け鋼板１１２の側部１２７（図１０ａに図示する）に、先端部に略凹形状をした嵌め込み部１０８とＬ形状のＬ形部１０９と、概ね前後中央に四角形で中央部に穴１１１を開けた置き台１０７を直角に折り曲げ形成した平板乗せ鋼板１１０の端部１２８（図１０ａに図示する）を直角に取付けた、せき板押え部材１０４を配置し、せき板押え部材１０４の上部には、平板鋼板の両端部を互いに逆方向に直角に折り曲げ、乗せ部１００には、せき板押え部材１０４の置き台１０７の穴１１１に対応した位置に穴１０２を開けた透明波板樹脂押え部材１０５が配置される。【００６１】  さらに、透明波板樹脂９７の下部には、床スラブに透明波板樹脂９７を２枚の波板押え鋼板で挟んで固定するため、概ねＺ形をして、先端部に透明波板樹脂９７の波形に合致するように波板挟み部１２０を成形した室内側透明波板押え鋼板１１９と、概ねＬ形をして、先端部に透明波板樹脂９７の波形に合致するように波板挟み部１１７を成形した壁側透明波板押え鋼板１１６が配置される。【００６２】  図８は、図７で説明した、透明波板樹脂９７の下部を両側から挟み込むように、床スラブの上に、２枚の、壁側透明波板押え鋼板１１６と室内側透明波板押え鋼板１１９を上下に重ね、波板挟み部１１７と波板挟み部１２０の間の隙間を透明波板樹脂９７の板厚と同一になるように配置し、波板挟み部１１７と波板挟み部１２０の間の隙間に透明波板樹脂９７の下部を挿入し、２枚の壁側透明波板押え鋼板１１６と室内側透明波板押え鋼板１１９に開けた穴１１４、穴１１８にビス１２１を挿入し、壁側透明波板押え鋼板１１６と室内側透明波板押え鋼板１１９を床スラブに固定し、さらに合板仮枠に取付けたセパレーター９６の位置に対応して透明波板樹脂９７に穴１２３を開けると共に、セパレーター９６にナット１６０（図１３で図示する）を取付け、壁厚（コンクリート厚さ）を調整すると共に、さらに、セパレーター９６を透明波板樹脂９７の穴１２３に挿入し、つづいて、セパレーター９６を、せき板押え部材１０４の透明波板樹脂受け鋼板１１２の穴１１３に挿入し、ナット１０６でせき板押え部材１０４をセパレーター９６に固定した状態を示す。【００６３】  さらに、せき板押え部材１０４の上部には、平板鋼板の両端部を互いに逆方向に直角に折り曲げ、乗せ部１００には、せき板押え部材１０４の置き台１０７の穴１１１に対応した位置に穴１０２を開けた透明波板樹脂押え部材１０５が配置される。【００６４】  次に、図７で説明した、せき板押え部材１０４と、透明波板樹脂押え部材１０５の形状を、図１０で詳細に説明する。【００６５】  図１０ａは、図７で説明した、合板仮枠のプラスチックコーン９５に取付けたセパレーター９６と、そのセパレーター９６に取付け、壁厚（コンクリート厚さ）を調整するためのナット１２６と、透明波板樹脂９７の谷部９０の形状に合わせ、概ね凹状をして縦長で上部中央に穴１１３を開けた透明波板樹脂受け鋼板１１２と、その透明波板樹脂受け鋼板１１２の側部１２７に取付けるため、先端部に略凹形状をした嵌め込み部１０８とＬ形状のＬ形部１０９を成形し、概ね前後中央に四角形で中央部に穴１１１を開けた置き台１０７を直角に折り曲げ形成した平板乗せ鋼板１１０を示す。【００６６】  図１０ｂでは、図１０ａで説明した、セパレーター９６にナット１２６を取付け、壁厚（コンクリート厚さ）を調整し、さらにセパレーター９６を、図７で説明した透明波板樹脂９７の穴１２３に挿入したあと、透明波板樹脂受け鋼板１１２の穴１１３に挿入してナット１０６で透明波板樹脂受け鋼板１１２を固定し、透明波板樹脂受け鋼板１１２の側部１２７と平板乗せ鋼板１１０の端部１２８を固定してせき板押え部材１０４を形成すると共に、せき板押え部材１０４の上部には、平板鋼板の両端部を互いに逆方向に直角に折り曲げ、乗せ部１００に、せき板押え部材１０４の置き台１０７の穴１１１に対応した位置に穴１０２を開けた透明波板樹脂押え部材１０５を配置し、さらに図１０ｃでは、図１０ｂで説明した、せき板押え部材１０４の上部に、透明波板樹脂押え部材１０５の折り曲げ部１０１を、せき板押え部材１０４のＬ形部１０９に押し付けるように嵌め込み部１０８に嵌め込み、ボルト９９を透明波板樹脂押え部材１０５の穴１０２と、せき板押え部材１０４の穴１１１に挿入し、ナット１０３で透明波板樹脂押え部材１０５とせき板押え部材１０４を固定した状態を示す。【００６７】  次に、図７で説明した、壁側透明波板押え鋼板１１６の波板挟み部１１７と、室内側透明波板押え鋼板１１９の波板挟み部１２０で、透明波板樹脂９７の下部を固定する方法を、図１１により詳細に説明する。【００６８】  図１１ｄと図１１ｆは、透明波板樹脂９７を挟み込み、床スラブに固定するための２枚の壁側透明波板押え鋼板１１６と室内側透明波板押え鋼板１１９を立体図で示す。【００６９】  図１１ｆは、平板鋼板の端部を透明波板樹脂９７の波形（山部８９、谷部９０で形成される）に合致するように山部１３５と谷部１３６で波形挟み部１１７を成形し、このように成形した平板鋼板を折り曲げ、床スラブに���定するため穴１１４を開けた床スラブ固定部１１５と、波形挟み部１１７を支えるため、概ね４５度の角度に折り曲げた折り曲げ部１３２と、透明波板樹脂９７の下端を、概ね４５度の角度で支えるための波形挟み部１１７で、壁側透明波板押え鋼板１１６が形成され、図１１ｇの断面図で折り曲げた平板鋼板の断面形状を示す。【００７０】  図１１ｄは、平板鋼板の端部を透明波板樹脂９７の波形（山部８９、谷部９０で形成される）に合致するように山部１３３と谷部１３４で波形挟み部１２０を成形し、このように成形した波形挟み部１２０を直角に折り曲げＬ形折り曲げ部１３１を成形し、さらに直角に折り曲げ、床スラブ固定部１２２を成形することにより、室内側透明波板押え鋼板１１９が形成され、図１１ｅの断面図で折り曲げた平板鋼板の断面形状を示す。【００７１】  図１１ｃは、図１１ｆと図１１ｄで説明した壁側透明波板押え鋼板１１６と室内側透明波板押え鋼板１１９を上下に重ねた状態を示す。【００７２】  図１１ａは、図１１ｆの壁側透明波板押え鋼板１１６と、図１１ｄの室内側透明波板押え鋼板１１９を上下に重ね合せ、ビス１２１を室内側透明波板押え鋼板１１９の穴１１８と、壁側透明波板押え鋼板１１６の穴１１４に挿入し、床スラブに固定することにより、図１１ｂの断面図で示すように、壁側透明波板押え鋼板１１６の波形挟み部１１７の山部１３５、谷部１３６を、透明波板樹脂９７の壁側下方の山部８９、谷部９０に押し付けるように配置すると共に、室内側から室内側透明波板押え鋼板１１９の波形挟み部１２０の山部１３３、谷部１３４を、透明波板樹脂９７の室内側下方の山部８９、谷部９０に押し付けるように配置することにより、透明波板樹脂９７の下部の両面が波形挟み部１１７と波形挟み部１２０により押し付けられ、透明波板樹脂９７は床スラブに固定される。【００７３】  図１２は、図７で説明した透明波板樹脂９７に、隣り合う透明波板樹脂１５１の波板部を互いに重ね合せた状態を示す。【００７４】  図１２ａは、透明波板樹脂９７と、隣り合う透明波板樹脂１５１の山部と谷部を重ね合せる（透明波板樹脂重ね合せ部１５０で示す）ことにより、透明波板樹脂を重ねて仮枠せき板を連続して構築することが出来るようになると共に、壁のコーナー部（建物の角部）の仮枠を構築する際にも、透明波板樹脂を切断することなく、透明波板樹脂の山部と谷部の一山の寸法（約３０ｍｍ）で壁の長さを自由に調節することが出来るようになり、建物の内・外壁のパネル仮枠の仮枠せき板を、切断作業を行うことなく自由なサイズで製作することが可能となった。【００７５】  次に、図７で説明した、壁の一方の建て込みに使用する合板仮枠とセパレーター９６と、透明波板樹脂９７と、壁側透明波板押え鋼板１１６と、室内側透明波板押え鋼板１１９と、せき板押え部材１０４と、透明波板樹脂押え部材１０５を、図１３の断面図で詳細に説明する。【００７６】  図１３は、壁の一方の建て込みに使用する合板仮枠（桟木９４、仮枠せき板９３で構成する）と、その合板仮枠と室内側の仮枠を固定するために使用する、型枠締付具１６５と単管９２とプラスチックコーン９５とセパレート９６と、さらに、本発明の透明波板樹脂９７、せき板押え部材��０４（構成する部材は、ナット１６６、透明波板樹脂受け鋼材１１２、ナット１０６、置き台１０７、平板乗せ鋼板１１０）と透明波板樹脂押え部材１０５（構成する部材は、透明波板樹脂押え部９８、乗せ部１００、折り曲げ部１０１）と、さらに、透明波板樹脂押え部材１０５をせき板押え部材１０４の置き台１０７に固定するためのボルト９９、ナット１０３と、さらに、透明波板樹脂９７を床スラブ１６７に固定するための壁側透明波板押え鋼板１１６と室内側透明波板押え鋼板１１９で構成され、合板仮枠に単管９２と型枠締付具１６５とプラスチックコーン９５とセパレーター９６を取付け、ナット１６６で壁厚（コンクリート厚さ）を調整し、さらに、そのセパレーター９６を、透明波板樹脂９７に開けた穴に挿入したあと、せき板押え部材１０４の透明波板樹脂受け鋼材１１２に開けた穴に挿入し、ナット１０６で、せき板押え部材１０４を透明波板樹脂９７に固定すると共に、せき板押え部材１０４の上部に、透明波板樹脂押え部材１０５の折り曲げ部１０１を、せき板押え部材１０４のＬ形部１０９に挿入し、ボルト９９とナット１０３でせき板押え部材１０４の上部に透明波板樹脂押え部材１０５を固定することにより、セパレーター９６に固定した透明波板樹脂押え部材１０５の透明波板樹脂押え部９８が透明波板樹脂９７に固定され、仮枠にコンクリートを打ち込む際、透明波板樹脂９７がコンクリートの圧力により膨らむのを防ぐと共に、透明波板樹脂９７の下部を、図１１で説明したように、壁側透明波板押え鋼板１１６の波形挟み部１１７と、室内側透明波板押え鋼板１１９の波形挟み部１２０の間の隙間に挿入して固定することにより、透明波板樹脂９７が仮枠せき板としての機能を果たすことが出来るようになった。【００７７】  図８は、図７で説明した、透明波形樹脂９７の下部を両側から挟み込むように、床スラブの上に、２枚の、床スラブ固定部１１５と床スラブ固定部１２２を重ねて配置し、波形挟み部１１７と波形挟み部１２０の間の隙間に透明波形樹脂９７の下部を挿入し、２枚の、床スラブ固定部１１５と床スラブ固定部１２２の穴１１４、穴１１８にビス１２１を挿入し、床スラブ固定部１１５と床スラブ固定部１２２を床スラブに固定し、さらに、一方の建て込みに使用する合板仮枠に取付けたセパレーター９６の位置に対応して透明波形樹脂９７にも穴１２３を開け、図１３で説明したように、セパレーター９６にナット１６６を取付け、壁厚（コンクリート厚さ）を調整すると共に、さらに、セパレーター９６を透明波形樹脂９７の穴１２３に挿入したあと、せき板押え部材１０４の透明波板樹脂受け鋼板１１２に開けた穴１１３に挿入し、ナット１０６で、せき板押え部材１０４をセパレーター９６に固定した状態を示す。【００７８】  図９は、図７と図８で説明した、せき板押え部材１０４の置き台１０７の上部に、透明波板樹脂押え部材１０５の折り曲げ部１０１を、せき板押え部材１０４のＬ形部１０９に挿入して嵌め込み部１０８に折り曲げ部１０１を嵌め込み、ボルト９９を、透明波板樹脂押え部材１０５の穴１０２と、せき板押え部材１０４の置き台１０７の穴１１１に挿入し、ナット１０３で透明波板樹脂押え部材１０５とせき板押え部材１０４を���定することにより、透明波板樹脂押え部材１０５の透明波板樹脂押え部９８が、透明波板樹脂９７に固定され、仮枠にコンクリートを打ち込む際、透明波形樹脂９７がコンクリートの圧力により膨らむのを防ぐことが可能となった。
【実施例４】
【００７９】  以下、この発明の実施の形態４について説明する。
［発明の実施の形態４］【００８０】  図１４は、この発明の実施の形態４を示す。上記発明の実施の形態３では、図１３において、透明波板樹脂押え部材１０５の折り曲げ部１０１が、透明波板樹脂押え部９８に対して逆さ方向に１８０度曲げられていたが、この発明の実施の形態４では、透明波板樹脂押え部材１７５の折り曲げ部１７３が、透明波板樹脂押え部１７０と同一方向に折り曲げられると共に、実施の形態３では、せき板押え部材１０４のＬ形部１０９の横に略凹形の嵌め込み部１０８を成形していたが、この発明の実施の形態４では、せき板押え部材１７６のＬ形部１７７の横に嵌め込み部を成形せず、さらに、実施の形態３では、室内側透明波板押え鋼板１１９のＬ形折り曲げ部１３１が床スラブ固定部１２２に対して直角に形成されていたが、この発明の実施の形態４では、折り曲げ部１８４を斜め形状で成形することにより、仮枠にコンクリートを打ち込む際、コンクリートの圧力で透明波板樹脂１８０が押された際、波形挟み部１８７が室内側に押されて変形するのを防ぐことが可能となった。その他の構造に関しては、この発明の実施の形態３と同様である。
【実施例５】
【００８１】  以下、この発明の実施の形態５について説明する。
［発明の実施の形態５］【００８２】  図１５は、この発明の実施の形態５を示す。上記発明の実施の形態３では、図１３において、透明波板樹脂押え部材１０５の折り曲げ部１０１が、透明波板樹脂押え部９８に対して逆さ方向に１８０度折り曲げられていたが、この発明の実施の形態５では、透明波板樹脂押え部材２０６の折り曲げ部２０４を、乗せ部２０２に対して斜め上方に折り曲げると共に、実施の形態３では、せき板押え部材１０４のＬ形部１０９の横に略凹形の嵌め込み部１０８を成形していたが、この発明の実施の形態５では、嵌め込み部を成形せず、せき板押え部材２０９の先端部にコの字形をしたコの字形部２１０を成形し、透明波板樹脂押え部材２０６を保管する際、重ねて保管することが出来るようになると共に、せき板押え部材２０９の先端部をコの字形にすることにより、せき板押え部材２０９に透明波板樹脂押え部材２０６を取付ける際、折り曲げ部２０４の先端をコの字形部２１０に押し付けて固定することが出来るようになり、施工効率を上げることが可能となった。その他の構造に関しては、この発明の実施の形態３と同様である。
【実施例６】
【００８３】  以下、この発明の実施の形態６について説明する。
［発明の実施の形態６］【００８４】  図１６乃至図１８には、この発明の実施の形態６を示す。【００８５】  図１６で示すように、壁の一方の建て込みに使用するパネル仮枠は、従来から、鉄筋コンクリート建物の仮枠を組立てる現場で日常的に用いられてきた厚手のベニヤ板（コンパネ）の片側表面にコンクリートの付着を防ぐよう平滑にするための塗料（黄色であることが多い）が塗布された合板仮枠（仮枠せき板２３７と桟木２３８で構成される）を用い、合板仮枠にはプラスチックコーン２３９、セパレーター２４０が取付けられ、型枠締付具（図示せず）と単管２３６と合板仮枠で壁の一方の仮枠が構成される。【００８６】  他方の建て込みに使用するパネル仮枠は、仮枠せき板に、波板で透明な樹脂（アクリル板又は、塩ビ板又は、ＰＥＴ板又は、ポリカーボネート板）の透明波板樹脂２４１（厚さ０．７〜１ｍｍ）を用い、透明波板樹脂２４１には仮枠の一方のパネル仮枠に取付けられた複数本のセパレーター２４０の位置に対応した位置に複数個所の穴２６２が開けられる。【００８７】  さらに、透明波板樹脂２４１の室内側には、透明波板樹脂２４１を室内側から固定するため、平板鋼板２６３（厚さ３．２ミリ、巾３０ｍｍ）を透明波板樹脂２４１の山部２６７の位置に合わせて垂直に複数本配置し、その複数本の平板鋼板２６３の室内側の平板鋼板押え当接部２６９を、横方向に配置した平板状の鋼板２６５で固定する。【００８８】  さらに、透明波板樹脂２４１の室内側には透明波板樹脂２４１を室内側から固定するため、透明波板樹脂２４１の山部２６７の形状に合わせ、概ねＵ形をして縦長で上部中央に穴２４２を開けた透明波板樹脂受け鋼板２４８と、その透明波板樹脂受け鋼板２４８の側部に、先端部にＬ形状のＬ形部２４５を成形すると共に、概ね前後中央に平板状の置き台２４７を形成した平板乗せ鋼板２４６を直角に取付けた、せき板押え部２４９を配置し、そのせき板押え部材２４９の上部には、長方形の平板鋼板をＬ形に曲げ、せき板押え部材２４９の置き台２４７の穴２４４に対応する位置に穴２５４を開けた平板鋼板押え部材２５１が配置される。【００８９】  さらに、透明波板樹脂２４１の下部には、図１１で説明した、壁側透明波板押え鋼板１１６と室内側透明波板押え鋼板１１９と同様に、床スラブに透明波板樹脂２４１を２枚の波板押え鋼板で挟んで固定するため、概ねＺ形をして、先端部に透明波板樹脂２４１の波形に合致するように波板挟み部２６４を成形した室内側透明波板押え鋼板２６０と、概ねＬ形をして、先端部に透明波板樹脂２４１の波形に合致するように波板挟み部２６１を成形した室内側透明波板押え鋼板２７０が配置される。【００９０】  図１７は、透明波板樹脂２４１の下部を両側から挟み込むように、床スラブの上に、２枚の、室内側透明波板押え鋼板２６０と壁側透明波板押え鋼板２７０を上下に重ねて配置し、波板挟み部２６１と波板挟み部２６４の間の隙間に透明波板樹脂２４１の下部を挿入し、２枚の、室内側透明波板押え鋼板２６０と壁側透明波板押え鋼板２７０に開けた穴２５８、穴２７１にビス２５９を挿入し、室内側透明波板押え鋼板２６０と壁側透明波板押え鋼板２７０を床スラブに固定し、さらに一方の建て込みに���用する合板仮枠に取付けたセパレーター２４０の位置に対応して透明波板樹脂２４１にも穴２６２を開け、セパレーター２４０にナット（図示せず）を取付け、壁厚（コンクリートの厚さ）を調整すると共に、さらに、セパレーター２４０を透明波板樹脂２４１の穴２６２に挿入し、つづいて、せき板押え部材２４９の透明波板樹脂受け鋼材２４８の穴２４２に挿入し、ナット２４３でせき板押え部材２４９をセパレーター２４０に固定し、平板鋼板２６３を透明波板樹脂２４１の山部２６７に固定した状態を示す。【００９１】  図１８は、図１７で説明した、せき板押え部材２４９の置き台２４７の上部に、平板鋼板押え部材２５１の先端部２５６を、せき板押え部材２４９のＬ形部２４５に押し付けるように配置し、ボルト２５３を平板鋼板押え部材２５１の穴２５４と、せき板押え部材２４９の穴２４４に挿入しナット２５５で平板鋼板押え部材２５１と、せき板押え部材２４９を固定することにより、平板鋼板押え部材２５１の平板鋼板押え部２５０が、平板鋼板２６３の平板鋼板押え当接部２６９と当接し、仮枠にコンクリートを打ち込む際、平板鋼板押え部２５０が平板鋼板２６３を固定し、仮枠に打ち込んだコンクリートの圧力により透明波板樹脂２４１が膨らむのを防ぐことが可能となった。
【実施例７】
【００９２】  以下、この発明の実施の形態７について説明する。
［発明の実施の形態７］【００９３】  図１９乃至図２１には、この発明の実施の形態７を示す。【００９４】  図１９で示すように、壁の一方の建て込みに使用するパネル仮枠は、従来から、鉄筋コンクリート建物の仮枠を組立てる現場で日常的に用いられてきた厚手のベニヤ板（コンパネ）の片側表面にコンクリートの付着を防ぐよう平滑にするための塗料（黄色であることが多い）が塗布された合板仮枠（仮枠せき板２８２と桟木２８３）を用い、合板仮枠にはプラスチックコーン２８８、セパレーター２８７が取付けられ、型枠締付具（図示せず）と単管２８１と合板仮枠で壁の一方の仮枠が形成される。【００９５】  他方の建て込みに使用するパネル仮枠は、仮枠せき板に、平板で透明な樹脂（アクリル板又は、塩ビ板又は、ＰＥＴ板又は、ポリカーボネート板）の透明平板樹脂２８４（板厚１ｍｍ、２ｍｍ、３ｍｍ、４ｍｍ、５ｍｍ、６ｍｍを部位により適位使用）を用い、透明平板樹脂２８４には仮枠の一方の建て込みに使用するパネル仮枠に取付けた複数のセパレーター２８７の位置に対応した位置に複数個所の穴３１８を開け、透明平板樹脂２８４の横方向には、隣り合う透明平板樹脂２８６を横並びに固定させるため、透明平板樹脂２８４と透明平板樹脂２８６の端部を嵌め込み固定するため、左右に凹状の嵌め込み部を形成し、Ｈ形で縦長の形状をしたＨ形固定部材２８５を配置し、隣り合う透明平板樹脂２８４と透明平板樹脂２８６の端部をＨ形固定部材２８５の凹部に差し込むことにより、仮枠せき板が連続した状態で形成されると共に、透明平板樹脂を必要な巾に切断することにより、自由なサイズのパネル仮枠を形成することが可能となった。【００９６】  さらに、透明平板樹脂２８４の室内側には、透明平板樹脂２８４を室内側から固定するため、軽量溝形鋼２９０（厚さ１．６ｍｍ、ウェブ巾５０ｍｍ、フランジ巾１０ｍｍ）の透明平板樹脂押え部２９３（フランジ部）を透明平板樹脂２８４と相対するように縦に複数本配置し、その複数本の軽量溝形鋼２９０の室内側の軽量溝形鋼押え当接部２９４（フランジ部）と、横方向に配置した複数本のＬ形鋼板２８９（各辺２５ｍｍ）をボルト２９２とナット２９１で固定する。【００９７】  さらに、室内側には、透明平板樹脂２８４と軽量溝形鋼２９０を室内側から固定するため、図２０ａで示すように、四角形で上部中央に穴３０３を開けた固定鋼板３０２の側部に、先端部にＬ形状のＬ形部３０７と、概ね前後中央に平板状の置き台３００を形成した平板乗せ鋼板３０１を直角に取付けた、せき板押え部材３０８を配置し、せき板押え部材３０８の上部には、軽量溝形鋼２９０を透明平板樹脂２８４に固定するため、長方形の平板鋼板をＬ形に曲げ、せき板押え部材３０８の置き台３００の穴３０５に対応する位置に穴２９９を開けた軽量溝形鋼押え部材２９５が配置される。【００９８】  さらに、透明平板樹脂２８４の下部には、床スラブに透明平板樹脂２８４を固定するため、床スラブ固定部３１３と挟み部３１５で形成したＬ形状のＬ形スラブ固定鋼板３１４と、同様に、床スラブ固定部３０９と挟み部３１２で形成したＬ形状のＬ形スラブ固定鋼板３１１が配置される。【００９９】  図２０は、図１９で説明した、床スラブの上���透明平板樹脂２８４の下部を両側から挟み込むように、２枚の、Ｌ形スラブ固定鋼板３１４とＬ形スラブ固定鋼板３１１を上下に重ねて配置し、透明平板樹脂２８４の端部と透明平板樹脂２８６の端部をＨ形固定部材２８５に挟み込み、Ｌ形スラブ固定鋼板３１４の挟み部３１５と、Ｌ形スラブ固定鋼板３１１挟み部３１２の間に透明平板樹脂２８４を挿入し、２枚のＬ形スラブ固定鋼板３１４、Ｌ形スラブ固定鋼板３１１に開けた穴３１７、穴３１０にビス３１６を挿入し、Ｌ形スラブ固定鋼板３１４とＬ形スラブ固定鋼板３１１をビス３１６で床スラブに固定し、さらに一方の建て込みに使用する合板仮枠に取付けたセパレーター２８７の位置に対応して透明平板樹脂２８４にも穴３１８を開けると共に、セパレーター２８７にナット（図示せず）を取付け、壁厚（コンクリート厚さ）を調整し、さらに、セパレーター２８７を透明平板樹脂２８４の穴３１８に挿入したあと、せき板押え部材３０８の固定鋼板３０２に開けた穴３０３に挿入し、ナット３０４でせき板押え部材３０８をセパレーター２８７に固定した状態を示す。【０１００】  図２１は、図１９と図２０で説明した、せき板押え部材３０８の置き台３００の上部に、軽量溝形鋼押え部材２９５の先端部３２１を、せき板押え部材３０８のＬ形部３０７に押し付けるように当接させ、ボルト２９７を軽量溝形鋼押え部材２９５の穴２９９と、せき板押え部材３０８の穴３０５に挿入しナット３０６で軽量溝形鋼押え部材２９５とせき板押え部材３０８を固定することにより、軽量溝形鋼押え部材２９５の軽量溝形鋼押え部２９６が軽量溝形鋼２９０の軽量溝形鋼押え当接部２９４に固定され、仮枠にコンクリートを打ち込む際、せき板押え部材３０８に固定した軽量溝形鋼押え部材２９５の軽量溝形鋼押え部２９６が軽量溝形鋼２９０を固定し、仮枠に打ち込んだコンクリートの圧力により透明平板樹脂２８４が膨らむのを防ぐことが可能となった。【０１０１】  なお、軽量溝形鋼押え部材２９５の乗せ部２９８の縦の寸法３２３は、せき板押え部材３０８をセパレーター２８７に取付け、軽量溝形鋼２９０を透明平板樹脂２８４に固定するように配置した際、軽量溝形鋼２９０の室内側の軽量溝形鋼押え当接部２９４と、せき板押え部材３０８の先端部のＬ形部３０７の間の寸法と同一寸法にすることにより、せき板押え部材３０８の上部に軽量溝形鋼押え部材２９５を乗せ、ボルト２９７とナット３０６でせき板押え部材３０８に軽量溝形鋼押え部材２９５を固定した際、軽量溝形鋼押え部材２９５の軽量溝形鋼押え部２９６が軽量溝形鋼２９０に固定され、軽量溝形鋼２９０の透明平板樹脂押え部２９３が透明平板樹脂２８４に固定し、仮枠にコンクリートを打ち込む際、コンクリートの圧力により透明平板樹脂２８４が膨らむのを防ぐことが出来るようになると共に、透明平板樹脂２８４の縦横を必要サイズに切断することによりパネル仮枠のサイズを自由に形成することが可能になった。
【実施例８】
【０１０２】  以下、この発明の実施の形態８について説明する。
［発明の実施の形態８］【０１０３】  図２２は、この発明の実施の形態８を示す。上記発明の実施の形態７では、図１９で説明した様に、透明平板樹脂２８４の室内側に、透明平板樹脂２８４を室内側から押えるため、軽量溝形鋼２９０（厚さ１．６ｍｍ、ウェブ巾５０ｍｍ、フランジ巾１０ｍｍ）の透明平板樹脂押え部２９３が透明平板樹脂２８４と相対するように縦に複数本配置し、その複数本の軽量溝形鋼２９０の室内側の軽量溝形鋼押え当接部２９４と、横方向に配置した複数本のＬ形鋼板２８９（各辺２５ｍｍ）をボルト２９２とナット２９１で固定していたが、この発明の実施の形態８では、透明平板樹脂を室内側から押えるため、軽量溝形鋼３３１に取付けた複数本のＬ形鋼板３３２のボルト３３４とナット３３３を緩めることにより、図２２ｂで示すように透明せき板樹脂押え部材３３０をコンパクトに畳むことが出来るようになり、特に室内や階上で仮枠を組立てる際、現場への搬入が容易に出来るようになった。
【実施例９】
【０１０４】  以下、この発明の実施の形態９について説明する。
［発明の実施の形態９］【０１０５】  図２３には、この発明の実施の形態９を示す。上記発明の実施の形態８では、図２２で説明した様に、軽量溝形鋼３３１を押えるためのＬ形鋼板３３２を１本の鋼材で成形していたが、この発明の実施の形態９では、軽量溝形鋼３４４を支えるためのＬ形鋼板を２本のＬ形鋼板３４３とＬ形鋼板３４７を、折れ曲がり部３４２で重ね合せてボルト３４６とナット３４５で固定したことにより、図２３ｂで示すように、透明せき板樹脂押え部材３４１を中央部で半分に折ることにより高さを抑えてコンパクトに畳むことが出来るようになると共に、軽量溝形鋼３４４に取付けた複数本のＬ形鋼板３４３のボルト３４６とナット３４５を緩めることにより、図２３ｂで示すように透明せき板樹脂押え部材３４１をコンパクトに畳むことが出来るようになり、特に、天井高の低い室内や階段等から搬入する際、施工現場への搬入が容易に出来るようになった。
【実施例１０】
【０１０６】  以下、この発明の実施の形態１０について説明する。
［発明の実施の形態１０］【０１０７】  図２４乃至図２６には、この発明の実施の形態１０を示す。上記発明の実施の形態７では、図１９、図２０で説明した様に、軽量溝形鋼２９０を室内側から固定するため、図２０ａで示すように、四角形で上部中央に穴３０３を開けた固定鋼板３０２の側部に、先端部にＬ形状のＬ形部３０７と、概ね前後中央に平板状の置き台３００を形成した平板乗せ鋼板３０１を直角に取付けた、せき板押え部材３０８を配置し、せき板押え部材３０８の上部には、軽量溝形鋼２９０を透明平板樹脂２８４に固定するため、長力形の平板鋼板をＬ形に曲げ、せき板押え部材３０８の置き台３００の穴３０５に対応する位置に穴２９９を開けた軽量溝形鋼押え部材２９５を配置していたが、この発明の実施の形態１０では、軽量溝形鋼３６５とＬ形鋼板３６２で構成した透明せき板樹脂押え部材３７５を透明平板樹脂３６６に固定するため、平板鋼板の両端部を互いに逆方向に直角に折り曲げ、押え部３９２、３９３（厚さ１．６ｍｍ、巾１５ｍｍ）と、支え部３８９、３９０（厚さ１．６ｍｍ、巾６０ｍｍ）と、折り曲げ部３７０、３７１（厚さ１．６ｍｍ、巾１５ｍｍ）で形成した、２枚の押え部材３６９、３７２を透明せき板樹脂押え部材３７５の室内側に上下逆さに配置し、押え部材３６９、３７２で軽量溝形鋼３６５を固定するため、セパレーター３６０の室内側に、長方形の平板鋼板をコの字形に折り曲げ、そのウェブ面にセパレーター３６０を固定するための穴３７８を開け、両側のフランジ面の上部にコの字形をした乗せ台３７６を成形し、下部に柄杓状の挟み込み部３７７を形成した座金付型枠締付具３７４を配置し、座金付型枠締付具３７４の乗せ台３７６に押え部材３６９の折り曲げ部３９４を乗せ、挟み込み部３７７に押え部材３７２の折り曲げ部３９５を挟み込み、型枠締付ナット３５５を座金付型枠締付具３７４の穴３７８に挿入し、ナット３７３で型枠締付具３７４をセパレーター３６０に固定することにより、押え部材３６９、３７２の押え部３９２、３９３が透明せき板樹脂押え部材３７５を固定し、さらに透明せき板樹脂押え部材３７５が透明平板樹脂３６６を固定することにより、一方の建て込みに使用する仮枠が構築され、倉庫や施工現場で押え部材３６９、３７２を保管する際、押え部材３６９、３７２を重ねて保管することが出来るようになるため、狭い場所で保管することが出来るようになると共に、軽量な押え部材３６９、３７２を使用するため施工現場で仮枠職人さんの労力を軽減させることが可能となった。
【実施例１１】
【０１０８】  以下、この発明の実施の形態１１について説明する。
［発明の実施の形態１１］【０１０９】  図２７乃至図２９には、この発明の実施の形態１１を示す。上記発明の実施の形態１０では、図２４乃至図２６で説明した様に、透明平板樹脂３６６をパネル仮枠で使用する方法について説明したが、この発明の実施の形態１１では、このように構成した隣り合う透明平板樹脂を固定する方法を示す。【０１１０】  図２７は、隣り合う透明平板樹脂４２０と透明平板樹脂４２８を横に並べた状態を示すと共に、図２７ａでは、隣り合う透明平板樹脂４２０の端部と透明平板樹脂４２８の端部を互いに固定するための凸形固定部材４２３と凹形固定部材４２４を示す。さらに、図２８ａは、凸形固定部材４２３と凹形固定部材４２４を分解して立体図で示す。図２７ａで示す凸形固定部材４２３は、図２８ａで示すように厚さ２．３ｍｍの２枚の平板状の合せ鋼板４３６と差し込み鋼板４３７で構成され、合せ鋼板４３６に対して差し込み鋼板４３７の巾を幅広に成形し、差し込み鋼板４３７の上下２箇所の端部には略Ｌ字形に欠込まれた凹形差し込み部４５７を成形し、さらに透明平板樹脂４２０を凸形固定部材４２３に固定するため合せ鋼板４３６と差し込み鋼板４３７に穴４５５、４５６を開け、平板樹脂押え鋼板４５８とビス４５９とナット４６０で透明平板樹脂４２０に合せ鋼板４３６と差し込み鋼板４３７を固定すると共に、凹形固定部材４２４は、図２８ａで示すように厚さ２．３ｍｍの平板状の合せ鋼板４３３と受け鋼板４３４とコの字形をしたコの字形鋼板４３５で構成し、受け鋼板４３４に対して合せ鋼板４３３の巾を巾広に成形し、差し込み鋼板４３７の凹形差し込み部４５７に対応する位置に、凹形差し込み部４５７の欠込形状に契合するように成形した略Ｌ形状の凸形差し込み部４６１を成形し、さらに透明平板樹脂４２８を合せ鋼板４３３と受け鋼板４３４とコの字形鋼板４３５に固定するための穴４６３、４６４、（コの字形鋼板４３５の穴は図示せず）を開け、平板樹脂押え鋼板４２５とビス４２６とナット４２７で、透明平板樹脂４２８に合せ鋼板４３３と受け鋼板４３４とコの字形鋼板４３５を固定し、このように構成した凸形固定部材４２３の差し込み鋼板４３７に成形した凹形差し込み部４５７に、合せ鋼板４３３の受け鋼板４３４に成形した凸形差し込み部４６１を差し込むようにして凸形固定部材４２３と合せ鋼板４３３を契合させることにより、隣り合う透明平板樹脂４２０と透明平板樹脂４２８を図２８ｃで示すように一体となって固定することが可能となった。【０１１１】  さらに、図２９で示すように、透明平板樹脂４２０、４２８の室内面から、コの字形鋼板４３５の室内側の面までの寸法を軽量溝形鋼４１９のウェブ巾と同一寸法にすることにより、型枠締付ナット４０９と押え部材４２９、４３０と座金付型枠締付具４３１で透明せき板樹脂押え部材４４７を固定する際、押え部材４２９、４３０の押え部４６６、４６７が、コの字形鋼板４３５と当接し、仮枠に打ち込んだコンクリートの圧力により、隣り合う透明平板樹脂４２０と透明平板樹脂４２８の接合部が室内側に膨らむのを防ぐことが可能となった。その他の構造に関しては、この発明の実施の形態１０と同様である。
【実施例１２】
【０１１２】  以下、この発明の実施の形態１２について説明する。
［発明の実施の形態１２］【０１１３】  図３０乃至図３２には、この発明の実施の形態１２を示す。上記発明の実施の形態１１では、図２７乃至図２９で説明した様に、隣り合う透明平板樹脂４２０と透明平板樹脂４２８の端部を固定するため、透明平板樹脂４２０に凸形固定部材４２３を固定すると共に、透明平板樹脂４２８に凹形固定部材４２４を固定し、凸形固定部材４２３の差し込み鋼板４３７に成形した凹形差し込み部４５７に、凹形固定部材４２４の受け鋼板４３４に成形した凸形差し込み部４６１を差し込むようにして凸形固定部材４２３と凹形固定部材４２４を合体させることにより、隣り合う透明平板樹脂４２０と透明平板樹脂４２８を一体となるように固定したが、この発明の実施の形態１２では、図３０、図３１で示すように、一方の透明平板樹脂４８０の端部に固定するための契合固定部材５０８は、図３１ａで示すように、平板鋼板を柄杓形に折り曲げ、コの字形折り曲げ部５１２を成形すると共に、透明平板樹脂４８０に固定する平板樹脂当接部５１０に、契合固定部材５０８を透明平板樹脂４８０に固定するための穴５２４を開け、他方の透明平板樹脂４８６の端部に固定するための契合固定部材５０９は、図３１ａで示すように、平板鋼板を柄杓状に折り曲げ、一方の契合固定部材５０８のコの字形折り曲げ部５１２の内側に契合するように、コの字形折り曲げ部５１５を成形すると共に、透明平板樹脂４８６に固定する平板樹脂当接部５１３に、契合固定部材５０９を透明平板樹脂４８６に固定するための穴（図示せず）を開け、図３１ｂで示すように、透明平板樹脂４８０を平板樹脂押え鋼板５２２とビス５２３とナット５１９で契合固定部材５０８に固定すると共に、透明平板樹脂４８６を平板樹脂押え鋼板４８３とビス４８４とナット５２０で契合固定部材５０９に固定し、契合固定部材５０８のコの字形折り曲げ部５１２の内側に、契合固定部材５０９のコの字形折り曲げ部５１５を嵌め込むことにより、隣り合う透明平板樹脂４８０と透明平板樹脂４８６が横並びに一体となるように固定することが可能となった。【０１１４】  さらに、図３２で示すように、透明平板樹脂４８０、４８６の室内面から、契合固定部材５０８のコの字形折り曲げ部５１２の室内側の面までの寸法を軽量溝形鋼４７６のウェブ巾と同一寸法にすることにより、型枠締付ナット４６９と押え部材４８９、４９０と座金付型締付具４９１で透明せき板押え部材５０７を固定する際、押え部材４８９、４９０の押え部５０５、５０６が、契合固定部材５０８のコの字形折り曲げ部５１２と当接し、仮枠に打ち込んだコンクリートの圧力により、隣り合う透明平板樹脂４８０と透明平板樹脂４８６の接合部が室内側に膨らむのを防ぐことが可能となった。その他の構造に関しては、この発明の実施の形態１１と同様である。
【実施例１３】
【０１１５】  以下、この発明の実施の形態１３について説明する。
［発明の実施の形態１３］【０１１６】  図３３乃至図３６には、この発明の実施の形態１３を示す。上記発明の実施の形態１２では、図３０乃至図３２で説明した様に、一方の透明平板樹脂４８０の端部に固定するための契合固定部材５０８は、図３１ａで示すように、平板鋼板を柄杓形に折り曲げ、コの字形折り曲げ部５１２を成形すると共に、透明平板樹脂４８０に固定する平板樹脂当接部５１０に、契合固定部材５０８を透明平板樹脂４８０に固定するための穴５２４を開け、他方の透明平板樹脂４８６の端部に固定するための契合固定部材５０９は、図３１ａで示すように、平板鋼板を柄杓状に折り曲げ、一方の契合固定部材５０８のコの字形折り曲げ部５１２の内側に契合するように、コの字形折り曲げ部５１５を成形すると共に、透明平板樹脂４８６に固定する平板樹脂当接部５１３に、契合固定部材５０９を透明平板樹脂４８６に固定するための穴（図示せず）を開け、図３１ｂで示すように、透明平板樹脂４８０を平板樹脂押え鋼板５２２とビス５２３とナット５１９で契合固定部材５０８に固定すると共に、透明平板樹脂４８６を平板樹脂押え鋼板４８３とビス４８４とナット５２０で契合固定部材５０９に固定し、契合固定部材５０８のコの字形折り曲げ部５１２の内側に、契合固定部材５０９のコの字形折り曲げ部５１５を嵌め込むことにより、隣り合う透明平板樹脂４８０と透明平板樹脂４８６が横並びに一体となるように固定したが、この発明の実施の形態１３では、図３３乃至図３６で示すように、一方の透明平板樹脂５４５の端部に固定するための契合固定部材５４８は、図３４ａで示すように、直角に折り曲げた平板鋼板の端部をさらに概ね柄杓形に成形した柄杓形固定鋼板５８５の平板樹脂押え部５８９と、概ねＺ形をした平板樹脂押え鋼板５８１の押え部５８２で透明平板樹脂５４５の端部を両側から押えビス５９０で固定すると共に、他方の隣り合う透明平板樹脂５５０の端部に、コの字形をしたコの字形固定鋼板５９９と透明平板樹脂５５０の端部を取り囲むように成形したコの字形の平板樹脂押え鋼板５９６をビス６０３で固定し、契合固定部材５４８の平板樹脂押え鋼板５８１の固定部５８３、固定部５８４に、平板樹脂押え鋼板５９６の固定部５９５、固定部５９８を嵌め込み、押え鋼板６０２をビス６０７で柄杓形固定鋼板５８５の押え部５７９に固定することにより、押え部６０８が、図３５ａで示すようにコの字形固定鋼板５９９の固定部６０１を固定することにより契合固定部材５４８と契合固定部材５４９が固定し、隣り合う透明平板樹脂５４５と透明平板樹脂５５０が横並びに一体となって仮枠せき板を形成すると共に、さらに図３５で示すように、透明平板樹脂固定部材６１５の柄杓形固定板５８５の固定ピン穴５９２と平板樹脂押え鋼板５８１の固定ピン穴５９１と、平板樹脂押え鋼板５９６の固定ピン穴６０５とコの字形固定鋼板５９９の固定ピン穴６０４に、図３５ｂで示す接合部固定ピン６１６の穴挿入部６１８を挿入し、支え部６２１を回動させ、Ｌ形部６１７と固定部６２０で、嵌め込み部５８６と押え部６０８を両側から押えることにより契合固定部材５４８と契合固定部材５４９が固定することにより、透明平板樹脂固定部材６１５が、仮枠のコン���リートを打ち込む際にパネル仮枠の補強材としての役目も果たすことが可能となった。その他の構造に関しては、この発明の実施の形態１２と同様である。
【実施例１４】
【０１１７】  以下、この発明の実施の形態１４について説明する。
［発明の実施の形態１４］【０１１８】  図３７乃至図３９には、この発明の実施の形態１４を示す。上記発明の実施の形態１２では、一方の透明平板樹脂４８０の端部に固定するための契合固定部材５０８は、図３１ａで示すように、平板鋼板を柄杓形に折り曲げ、コの字形折り曲げ部５１２を成形すると共に、透明平板樹脂４８０に固定する平板樹脂当接部５１０に、契合固定部材５０８を透明平板樹脂４８０に固定するための穴５２４を開け、他方の透明平板樹脂４８６の端部に固定するための契合固定部材５０９は、図３１ａで示すように、平板鋼板を柄杓状に折り曲げ、一方の契合固定部材５０８のコの字形折り曲げ部５１２の内側に契合するように、コの字形折り曲げ部５１５を成形すると共に、透明平板樹脂４８６に固定する平板樹脂当接部５１３に、契合固定部材５０９を透明平板樹脂４８６に固定するための穴（図示せず）を開け、図３１ｂで示すように、透明平板樹脂４８０を平板樹脂押え鋼板５２２とビス５２３とナット５１９で契合固定部材５０８に固定すると共に、透明平板樹脂４８６を平板樹脂押え鋼板４８３とビス４８４とナット５２０で契合固定部材５０９に固定し、契合固定部材５０８のコの字形折り曲げ部５１２の内側に、契合固定部材５０９のコの字形折り曲げ部５１５を嵌め込むことにより、隣り合う透明平板樹脂４８０と透明平板樹脂４８６が横並びに一体となるように固定したが、この発明の実施の形態１４では、図３７乃至図３９で示すように、一方の透明平板樹脂６４８の先端部に接着剤で固定するための挿入用平板樹脂６８６は、長板状の平板樹脂の先端を斜め形状に成形し、セパレーター６４５を固定する部分に凹形契合部６５１との段差を無くすため長方形をして中央部に透明平板樹脂６４８と挿入用平板樹脂６８６を貫通するための穴６９４を開けた段差調整樹脂６８７を接着剤で固定し、挿入用平板樹脂６８６と透明平板樹脂６４８を階段状になるように接着剤で固定して凸形契合部６５０を形成すると共に、他方の透明平板樹脂６５３には、透明平板樹脂６５３と長板状の受止用平板樹脂６８８と長板状の押え用平板樹脂６９２を、受止用平板樹脂６８８が間に挟まれるようにコの字形に接着剤で固定して凹形契合部６５１を形成し、さらに、段差調整樹脂６８７に開けた穴６９４から水平方向の凹形契合部６５１に穴６９６を開け、凸形契合部６５０の穴６９４にセパレーター６４５を挿入すると共に、凹形契合部６５１の穴６９６にボルト６９１を挿入し、そのボルト６９１に、セパレーター６４５に嵌め込むことが出来るように丸形の契合穴６８９を開けた打掛錠タイプの回転式打掛金具６５４をナット６９０で回転自在に取付け、つづいて凸形契合部６５０の挿入用平板樹脂６８６を、凹形契合部６５１の差込部６８５に差し込み、回転式打掛金具６５４を回転させて契合穴６８９をセパレーター６４５に嵌め込み、つづいて、型枠締付ナット６４６をセパレーター６４５に取付け、型枠締付ナット６４６を回して締めることにより、回転式打掛金具６５４と型枠締付ナット６４６が固定し、凸形契合部６５０と凹形契合部６５１が一体となることにより、図３８ｂで示すように、透明平板樹脂契合部６９７が形成され、透明平板樹脂６４８と透明平板樹脂６���３が一体となって仮枠せき板が形成される。【０１１９】  さらに、図３７で示すように、Ｌ形スラブ固定鋼板６７５には凸形契合部と凹形契合部の下部がＬ形スラブ固定鋼板６７５に接触しないように欠込み部６５８を成形する。その他の構造に関しては、この発明の実施の形態１２と同様である。
【実施例１５】
【０１２０】  以下、この発明の実施の形態１５について説明する。
［発明の実施の形態１５］【０１２１】  図４０には、この発明の実施の形態１５を示す。上記発明の実施の形態１４では、透明平板樹脂６４８の室内側に、透明平板樹脂６４８を室内側から固定するため、軽量溝形鋼６７９の透明平板樹脂押え部６４９を透明平板樹脂６４８と相対するように縦に複数本配置し、その複数本の軽量溝形鋼６７９の室内側の軽量溝形鋼押え当接部６５２と、横方向に配置した複数本のＬ形鋼板６４７をボルト６８０とナット６８１で固定していたが、この発明の実施の形態１５では、図４０で示すように、透明平板樹脂７１５の室内側に、透明平板樹脂７１５を室内側から固定するため、角材７１７を縦に複数本配置し、その複数本の角材７１７の室内側に、複数本のＬ形鋼板７１１を横方向に配置し、角材７１７とＬ形鋼板７１１を木ねじ７１２で固定することにより、透明せき板樹脂押え部材７２６が構成される。その他の構造に関しては、この発明の実施の形態１４と同様である。
【実施例１６】
【０１２２】  以下、この発明の実施の形態１６について説明する。
［発明の実施の形態１６］【０１２３】  図４１乃至図４３には、この発明の実施の形態１６を示す。上記発明の実施の形態１２では、透明平板樹脂４８０の室内側には、透明平板樹脂４８０を室内側から固定するため、軽量溝形鋼４７６の透明平板樹脂押え部４８１を透明平板樹脂４８０と相対するように縦に複数本配置し、その複数本の軽量溝形鋼４７６の室内側の軽量溝形鋼押え当接部４８２と、横方向に配置した複数本のＬ形鋼板４７７をボルト４７９とナット４７８で固定していたが、この発明の実施の形態１６では、図４１乃至図４３で示すように、透明平板樹脂７４７の室内側に、透明平板樹脂７４７を室内側から固定するため、桟木７４９でパネル枠を形成し、このように形成した透明平板樹脂７４７と桟木７４９を両面接着テープ７４８で固定してパネル仮枠７６４を形成し、図４２で示すように、隣り合うパネル仮枠７６３とパネル仮枠７６４の桟木を複数本の木ねじ７６５で固定することにより図４３で示すようにパネル仮枠を形成することが出来るようになった。その他の構造に関しては、この発明の実施の形態１２と同様である。【０１２４】  以上、実施の形態に基づいて、本発明に係る鉄筋コンクリート建物を成形する透明仮枠構造について詳細に説明してきたが、本発明は、以上の実施の形態に限定されるものではなく、発明の趣旨を逸脱しない範囲において各種の改変をなしても、本発明の技術的範囲に属するのはもちろんである。【０１２５】  図１乃至図６と、図１９乃至図２１と、図２４乃至図３６において、仮枠せき板に、平板で透明な樹脂（アクリル板又は、塩ビ板又は、ＰＥＴ板又は、ポリカーボネート板）の透明平板樹脂５を用いる、と記載したが、ポリカーボネート樹脂中空ボードを用いることも、もちろん可能である。【０１２６】  図１９乃至図２１において、軽量溝形鋼２９０とＬ形鉄板２８９をボルト２９２とナット２９１で固定する、と記載したが、タッピングネジを使って軽量溝形鋼２９０にＬ形鉄板２８９を取付け、運搬、資材搬入する際には、タッピングネジを緩めて、押え部材を畳むことも、もちろん可能である。【０１２７】  図１乃至図３２において、一例として鉄筋コンクリート建物の壁を形成する仮枠構造において、一方の仮枠せき板に透明樹脂を用い、他方の仮枠せき板には、従来から、鉄筋コンクリート建物の仮枠を組立てる現場で日常的に用いられてきた厚手のベニヤ板（コンパネ）の片側表面にコンクリートの付着を防ぐよう平滑にするための塗料（黄色であることが多い）が塗布された合板仮枠（仮枠せき板３と桟木４で形成される）を用いる、と説明してきたが、仮枠の両側の仮枠せき板に透明樹脂板を用いることも、もちろん可能である。【０１２８】  図１９乃至図３６において、軽量溝形鋼２９０、３６５、４１９、４７６の軽量溝形鋼押え部をＬ形鋼板２８９、３６２、４１６、４７７で固定すると説明したが、コの字形鋼板を用いて固定することも、もちろん可能である。
【図面の簡単な説明】
【０１３０】
【図１】本発明の実施の形態１に係る、仮枠部品の詳細な立体分解図である。
【図２】同実施の形態に係る、図１の仮枠部品を一部組立てた立体分解図である。
【図３】同実施の形態に係る、図１の仮枠部品を組立てた立体組立図である。
【図４】本発明の実施の形態２に係る、仮枠部品の詳細な立体分解図である。
【図５】同実施の形態に係る、図４の仮枠部品を一部組立てた立体分解図である。
【図６】同実施の形態に係る、図４の仮枠部品を組立てた立体組立図である。
【図７】本発明の実施の形態３に係る、仮枠部品の詳細な立体分解図である。
【図８】同実施の形態に係る、図７の仮枠部品を一部組立てた立体分解図である。
【図９】同実施の形態に係る、図７の仮枠部品を組立てた立体組立図である。
【図１０】同実施の形態に係る、図７の透明波板樹脂押え鋼板と、せき板押え部材を詳細に説明するための立体部品図である。
【図１１】同実施の形態に係る、図７の波板スラブ固定鋼板と、波板スラブ固定鋼板の機能を詳細に説明するための立体部品図である。
【図１２】同実施の形態に係る、隣り合う透明波板樹脂を重ね合せた状態の立体組立図である。
【図１３】同実施の形態に係る、透明波板樹脂を２枚の波形スラブ固定鋼板で床スラブに固定した状態の断面図である。
【図１４】本発明の実施の形態４に係る、透明波板樹脂を２枚の波形スラブ固定鋼板で床スラブに固定した状態の断面図である。
【図１５】本発明の実施の形態５に係る、透明波板樹脂を２枚の波形スラブ固定鋼板で床スラブに固定した状態の断面図である。
【図１６】本発明の実施の形態６に係る、仮枠部品の詳細な立体分解図である。
【図１７】同実施の形態に係る、図１６の仮枠部品を一部組立てた立体分解図である。
【図１８】同実施の形態に係る、図１６の仮枠部品を組立てた立体組立図である。
【図１９】本発明の実施の形態７に係る、仮枠部品の詳細な立体分解図である。
【図２０】同実施の形態に係る、図１９の仮枠部品を一部組立てた立体分解図である。
【図２１】同実施の形態に係る、図１９の仮枠部品を組立てた立体組立図である。
【図２２】本発明の実施の形態８に係る、仮枠部品の詳細な立体分解図である。
【図２３】本発明の実施の形態９に係る、仮枠部品の詳細な立体分解図である。
【図２４】本発明の実施の形態１０に係る、仮枠部品の詳細な立体分解図である。
【図２５】同実施の形態に係る、図２４の仮枠部品を組立てた立体組立図である。
【図２６】同実施の形態に係る、透明波板樹脂を２枚の波形スラブ固定鋼板で床スラブに固定した状態の断面図である。
【図２７】本発明の実施の形態１１に係る、仮枠部品の詳細な立体分解図である。
【図２８】同実施の形態に係る、図２７の隣り合う透明平板樹脂を連結するための凸方固定部材と凹形固定部材の分解図である。
【図２９】同実施の形態に係る、図２７の仮枠部品を組立てた立体組立図である。
【図３０】本発明の実施の形態１２に係る、仮枠部品の詳細な立体分解図である。
【図３１】同実施の形態に係る、図３０の隣り合う透明平板樹脂を連結するための契合固定部材の分解図である。
【図３２】同実施の形態に係る、図３０の仮枠部品を組立てた立体組立図である。
【図３３】本発明の実施の形態１３に係る、仮枠部品の詳細な立体分解図である。
【図３４】同実施の形態に係る、図３３の隣り合う透明平板樹脂を連結するための契合定部材と契合固定部材の分解図である。
【図３５】同実施の形態に係る、図３３の隣り合う透明平板樹脂を連結した状態の立体図である。
【図３６】同実施の形態に係る、図３３の仮枠部品を組立てた立体組立図である。
【図３７】本発明の実施の形態１４に係る、仮枠部品の詳細な立体分解図である。
【図３８】同実施の形態に係る、図３７の隣り合う透明平板樹脂を連結するための凸形契合部と凹形契合部の分解図である。
【図３９】同実施の形態に係る、図３７の仮枠部品を組立てた立体組立図である。
【図４０】本発明の実施の形態１５に係る、仮枠部品を組立てた立体組立図である。
【図４１】本発明の実施の形態１６に係る、仮枠部品の詳細な立体分解図である。
【図４２】同実施の形態に係る、図４１の仮枠部品を一部組立てた立体分解図である。
【図４３】同実施の形態に係る、図４１の仮枠部品を組立てた立体組立図である。
【符号の説明】
【０１３１】１                  仮枠
２                  単管
３                  仮枠せき板
４                  桟木
５                  透明平板樹脂
６                  Ｈ形固定部材
７                  透明平板樹脂
８                  セパレーター
９                  プラスチックコーン
１０                鋼板
１１                平板鋼板
１２                平板鋼板押え部材
１３                平板鋼板押え部
１４                ボルト
１６                乗せ部
１７                穴
１８                置き台
１９                平板乗せ鋼板
２０                固定鋼板
２１                穴
２２                ナット
２３                穴
２４                Ｌ形部
２５                せき板押え部材
２６                ナット
２７                床スラブ固定部
２８                穴
２９                Ｌ形スラブ固定鋼板
３０                挟み部
３１                床スラブ固定部
３２                Ｌ形スラブ固定鋼板
３３                挟み部
３４                ビス
３５                穴
３６                穴
３７                透明平板樹脂押え部
３８                平板鋼板押え当接部
４６                床スラブ固定部材
４７                先端部
４８                寸法
５０                仮枠
５１                単管
５２                仮枠せき板
５３                桟木
５４                透明平板樹脂
５５                Ｈ形固定部材
５６                透明平板樹脂
５７                セパレーター
５８                プラスチックコーン
５９                透明平板樹脂押え部
６０                ボルト
６１                透明平板樹脂押え部材
６２                乗せ部
６３                穴
６４                ナット
６５                せき板押え部材
６６                置き台
６７                穴
６８                固定鋼板
６９                穴
７０                Ｌ形部
７１                平板乗せ鋼板
７２                ナット
７３                穴
７４                床スラブ固定部
７５                Ｌ形スラブ固定鋼板
７６                挟み部
７７                Ｌ形スラブ固定鋼板
７８                挟み部
７９                ビス
８０                穴
８１                床スラブ固定部
８２                穴
８３                先端部
８４                寸法
８５                床スラブ固定部材
８９                山部
９０                谷部
９１                仮枠
９２                単管
９３                仮枠せき板
９４                桟木
９５                プラスチックコーン
９６                セパレーター
９７                透明波板樹脂
９８                透明波板樹脂押え部
９９                ボルト
１００              乗せ部
１０１              折り曲げ部
１０２              穴
１０３              ナット
１０４              せき板押え部材
１０５              透明波板樹脂押え部材
１０６              ナット
１０７              置き台
１０８              嵌め込み部
１０９              Ｌ形部
１１０              平板乗せ鋼板
１１１              穴
１１２              透明波板樹脂受け鋼板
１１３              穴
１１４              穴
１１５              床スラブ固定部
１１６              壁側透明波板押え鋼板
１１７              波形挟み部
１１８              穴
１１９              室内側透明波板押え鋼板
１２０              波形挟み部
１２１              ビス
１２２              床スラブ固定部
１２３              穴
１２４              床スラブ固定部材
１２５              寸法
１２６              ナット
１２７              側部
１２８              端部
１３１              Ｌ形折り曲げ部
１３２              折り曲げ部
１３３              山部
１３４              谷部
１３５              山部
１３６              谷部
１５０              透明波板樹脂重ね合せ部
１５１              透明波板樹脂
１６５              型枠締付具
１６６              ナット
１６７              床スラブ
１７０              透明波板樹脂押え部
１７１              乗せ部
１７２              ボルト
１７３              折り曲げ部
１７４              ナット
１７５              透明波板樹脂押え部材
１７６              せき板押え部材
１７７              Ｌ形部
１７８              平板乗せ鋼板
１７９              置き台
１８０              透明波板樹脂
１８１              ナット
１８２              室内側透明波板押え鋼板
１８３              ビス
１８４              折り曲げ部
１８５              壁側透明波板押え鋼板
１８６              床スラブ
１８７              波形挟み部
１８８              波形挟み部
１８９              プラスチックコーン
１９０              セパレーター
１９１              ナット
１９２              型枠締付具
１９３              単管
１９４              桟木
１９５              仮枠せき板
１９６              透明波板樹脂受け鋼板
２０１              透明波板樹脂押え部
２０２              乗せ部
２０３              ボルト
２０４              折り曲げ部
２０５              ナット
２０６              透明波板樹脂押え部材
２０７              透明波板樹脂
２０９              せき板押え部材
２１０              コの字形部
２１１              ナット
２１２              置き台
２１３              平板乗せ鋼板
２１４              室内側透明波板押え鋼板
２１５              ビス
２１６              波形挟み部
２１７              波形挟み部
２１８              床スラブ
２１９              壁側透明波板押え鋼板
２２０              型枠締付具
２２１              単管
２２２              プラスチックコーン
２２３              セパレーター
２２４              ナット
２２５              桟木
２２６              仮枠せき板
２２７              透明波板樹脂受け鋼板
２３５              仮枠
２３６              単管
２３７              仮枠せき板
２３８              桟木
２３９              プラスチックコーン
２４０              セパレーター
２４１              透明波板樹脂
２４２              穴
２４３              ナット
２４４              穴
２４５              Ｌ形部
２４６              平板乗せ鋼板
２４７              置き台
２４８              透明波板樹脂受け鋼板
２４９              せき板押え部材
２５０              平板鋼板押え部
２５１              平板鋼板押え部材
２５２              乗せ部
２５３              ボルト
２５４              穴
２５５              ナット
２５６              先端部
２５７              床スラブ固定部
２５８              穴
２５９              ビス
２６０              室内側透明波板押え鋼板
２６１              波形挟み部
２６２              穴
２６３              平板鋼板
２６４              波形挟み部
２６５              鋼板
２６６              谷部
２６７              山部
２６８              透明波板樹脂押え部
２６９              平板鋼板押え当接部
２７０              壁側透明波板押え鋼板
２７１              穴
２７２              床スラブ固定部
２７３              床スラブ固定部材
２７４              寸法
２８０              仮枠
２８１              単管
２８２              仮枠せき板
２８３              桟木
２８４              透明平板樹脂
２８５              Ｈ形固定部材
２８６              透明平板樹脂
２８７              セパレーター
２８８              プラスチックコーン
２８９              Ｌ形鋼板
２９０              軽量溝形鋼
２９１              ナット
２９２              ボルト
２９３              透明平板樹脂押え部
２９４              軽量溝形鋼押え当接部
２９５              軽量溝形鋼押え部材
２９６              軽量溝形鋼押え部
２９７              ボルト
２９８              乗せ部
２９９              穴
３００              置き台
３０１              平板乗せ鋼板
３０２              固定鋼板
３０３              穴
３０４              ナット
３０５              穴
３０６              ナット
３０７              Ｌ形部
３０８              せき板押え部材
３０９              床スラブ固定部
３１０              穴
３１１              Ｌ形スラブ固定鋼板
３１２              挟み部
３１３              床スラブ固定部
３１４              Ｌ形スラブ固定鋼板
３１５              挟み部
３１６              ビス
３１７              穴
３１８              穴
３２１              先端部
３２２              床スラブ固定部材
３２３              寸法
３３０              透明せき板樹脂押え部材
３３１              軽量溝形鋼
３３２              Ｌ形鋼板
３３３              ナット
３３４              ボルト
３３５              軽量溝形鋼押え当接部
３３６              透明平板樹脂押え部
３４１              透明せき板樹脂押え部材
３４２              折れ曲り部
３４３              Ｌ形鋼板
３４４              軽量溝形鋼
３４５              ナット
３４６              ボルト
３４７              Ｌ形鋼板
３４８              軽量溝形鋼押え当接部
３４９              透明平板樹脂押え部
３５５              型枠締付ナット
３５６              仮枠
３５７              単管
３５８              仮枠せき板
３５９              桟木
３６０              セパレーター
３６１              プラスチックコーン
３６２              Ｌ形鋼板
３６３              ナット
３６４              ボルト
３６５              軽量溝形鋼
３６６              透明平板樹脂
３６７              透明平板樹脂押え部
３６８              軽量溝形鋼押え当接部
３６９              押え部材
３７０              折り曲げ部
３７１              折り曲げ部
３７２              押え部材
３７３              ナット
３７４              座金付型枠締付具
３７５              透明せき板樹脂押え部材
３７６              乗せ台
３７７              挟み込み部
３７８              穴
３８０              床スラブ固定部
３８１              穴
３８２              Ｌ形スラブ固定鋼板
３８３              挟み部
３８４              Ｌ形スラブ固定鋼板
３８５              穴
３８６              挟み部
３８７              ビス
３８８              床スラブ固定部
３８９              支え部
３９０              支え部
３９１              床スラブ固定部材
３９２              押え部
３９３              押え部
３９８              ナット
３９９              座金付型枠締付具
４００              床スラブ
４０９              型枠締付ナット
４１０              仮枠
４１１              単管
４１２              仮枠せき板
４１３              桟木
４１４              セパレーター
４１５              プラスチックコーン
４１６              Ｌ形鋼板
４１７              ナット
４１８              ボルト
４１９              軽量溝形鋼
４２０              透明平板樹脂
４２１              透明平板樹脂押え部
４２２              軽量溝形鋼押え当接部
４２３              凸形固定部材
４２４              凹形固定部材
４２５              平板樹脂押え鋼板
４２６              ビス
４２７              穴
４２８              透明平板樹脂
４２９              押え部材
４３０              押え部材
４３１              座金付型枠締付具
４３２              ナット
４３３              合せ鋼板
４３４              受け鋼板
４３５              コの字形鋼板
４３６              合せ鋼板
４３７              差し込み鋼板
４３８              床スラブ固定部
４３９              穴
４４０              Ｌ形スラブ固定鋼板
４４１              挟み部
４４２              床スラブ固定部
４４３              Ｌ形スラブ固定鋼板
４４４              挟み部
４４５              ビス
４４６              穴
４４７              透明せき板樹脂押え部材
４５５              穴
４５６              穴
４５７              凹形差し込み部
４５８              平板樹脂押え鋼板
４５９              ビス
４６０              ナット
４６１              凸形差し込み部
４６２              透明平板樹脂固定部材
４６３              穴
４６４              穴
４６５              床スラブ固定部材
４６６              押え部
４６７              押え部
４６９              型枠締付ナット
４７０              仮枠
４７１              単管
４７２              仮枠せき板
４７３              桟木
４７４              セパレーター
４７５              プラスチックコーン
４７６              軽量溝形鋼
４７７              Ｌ形鋼板
４７８              ナット
４７９              ボルト
４８０              透明平板樹脂
４８１              透明平板樹脂押え部
４８２              軽量溝形鋼押え当接部
４８３              平板樹脂押え鋼板
４８４              ビス
４８５              穴
４８６              透明平板樹脂
４８７              折り曲げ部
４８８              折り曲げ部
４８９              押え部材
４９０              押え部材
４９１              座金付型枠締付具
４９２              乗せ台
４９３              挟み込み部
４９４              穴
４９５              ナット
４９６              床スラブ固定部
４９７              穴
４９８              Ｌ形スラブ固定鋼板
４９９              挟み部
５００              穴
５０１              Ｌ形スラブ固定鋼板
５０２              挟み部
５０３              ビス
５０４              床スラブ固定部
５０５              押え部
５０６              押え部
５０７              透明せき板樹脂押え部材
５０８              契合固定部材
５０９              契合固定部材
５１０              平板樹脂当接部
５１１              折り曲げ部
５１２              コの字形折り曲げ部
５１３              平板樹脂当接部
５１４              折り曲げ部
５１５              コの字形折り曲げ部
５１７              透明平板樹脂固定部材
５１９              ナット
５２０              ビス
５２２              平板樹脂押え鋼板
５２３              ビス
５２４              穴
５３０              床スラブ固定部材
５３１              支え部
５３２              支え部
５３９              型枠締付ナット
５４０              仮枠
５４１              単管
５４２              仮枠せき板
５４３              桟木
５４４              セパレーター
５４５              透明平板樹脂
５４６              透明平板樹脂押え部
５４７              軽量溝形鋼押え当接部
５４８              契合固定部材
５４９              契合固定部材
５５０              透明平板樹脂
５５１              折り曲げ部
５５２              折り曲げ部
５５３              押え部材
５５４              押え部材
５５５              座金付型枠締付具
５５６              ナット
５５７              床スラブ固定部
５５８              穴
５５９              Ｌ形スラブ固定鋼板
５６０              挟み部
５６１              床スラブ固定部
５６２              Ｌ形スラブ固定鋼板
５６３              挟み部
５６４              ビス
５６５              穴
５６６              軽量溝形鋼
５６７              ボルト
５６８              ナット
５６９              透明せき板樹脂押え部材
５７０              Ｌ形鋼板
５７１              プラスチックコーン
５７９              押え部
５８１              平板樹脂押え鋼板
５８２              押え部
５８３              固定部
５８４              固定部
５８５              柄杓形固定鋼板
５８６              嵌め込み部
５８７              固定部
５８８              押え部
５８９              平板樹脂押え部
５９０              ビス
５９１              固定ピン穴
５９２              固定ピン穴
５９３              穴
５９４              鍔
５９５              固定部
５９６              平板樹脂押え鋼板
５９７              押え部
５９８              固定部
５９９              コの字形固定鋼板
６００              平板樹脂押え部
６０１              固定部
６０２              押え鋼板
６０３              ビス
６０４              固定ピン穴
６０５              固定ピン穴
６０６              穴
６０７              ビス
６０８              押え部
６１５              透明平板樹脂固定部材
６１６              接合部固定ピン
６１７              Ｌ形部
６１８              穴挿入部
６１９              テーパー部
６２０              固定部
６２１              支え部
６２２              固定部
６３０              押え部
６３１              押え部
６３２              床スラブ固定部材
６４０              仮枠
６４１              単管
６４２              仮枠せき板
６４３              桟木
６４４              プラスチックコーン
６４５              セパレーター
６４６              型枠締付ナット
６４７              Ｌ形鋼板
６４８              透明平板樹脂
６４９              透明平板樹脂押え部
６５０              凸形契合部
６５１              凹形契合部
６５２              軽量溝形鋼押え当接部
６５３              透明平板樹脂
６５４              回転式打掛金具
６５５              押え部材
６５６              押え部材
６５７              座金付型枠締付具
６５８              欠込み部
６５９              透明せき板樹脂押え部材
６６０              折り曲げ部
６６１              折り曲げ部
６６２              支え部
６６３              押え部
６６４              押え部
６６５              支え部
６６６              乗せ台
６６７              穴
６６８              挟み込み部
６６９              ナット
６７０              床スラブ固定部
６７１              穴
６７２              Ｌ形スラブ固定鋼板
６７３              挟み部
６７４              床スラブ固定部
６７５              Ｌ形スラブ固定鋼板
６７６              挟み部
６７７              ビス
６７８              穴
６７９              軽量溝形鋼
６８０              ボルト
６８１              ナット
６８５              差込部
６８６              挿入用平板樹脂
６８７              段差調整樹脂
６８８              受止用平板樹脂
６８９              契合穴
６９０              ナット
６９１              ボルト
６９２              押え用平板樹脂
６９３              ナット
６９４              穴
６９６              穴
６９７              透明平板樹脂契合部
６９８              床スラブ固定部材
７０４              回転式打掛金具
７０５              仮枠
７０６              単管
７０７              仮枠せき板
７０８              桟木
７０９              プラスチックコーン
７１０              セパレーター
７１１              Ｌ形鋼板
７１２              木ねじ
７１３              押え部
７１４              押え部
７１５              透明平板樹脂
７１６              透明平板樹脂契合部
７１７              角材
７１８              透明平板樹脂
７１９              押え部材
７２０              押え部材
７２１              座金付型枠締付具
７２２              支え部
７２３              支え部
７２４              折り曲げ部
７２５              折り曲げ部
７２６              透明せき板樹脂押え部
７２７              床スラブ固定部
７２８              ビス
７２９              床スラブ固定部
７３０              床スラブ固定部材
７３１              挟み部
７３２              挟み部
７４０              仮枠
７４１              単管
７４２              仮枠せき板
７４３              桟木
７４４              プラスチックコーン
７４５              セパレーター
７４６              型枠締付ナット
７４７              透明平板樹脂
７４８              両面接着テープ
７４９              桟木
７５０              押え部材
７５１              押え部材
７５２              ナット
７５３              座金付型枠締付具
７５４              折り曲げ部
７５５              折り曲げ部
７５６              支え部
７５７              支え部
７５８              押え部
７５９              押え部
７６３              パネル仮枠
７６４              パネル仮枠
７６５              木ネジ
７６６              穴
７６７              挟み込み部
７６８              乗せ部
７６９              透明平板樹脂
７７０              両面接着テープ
７７１              桟木
【図１】
0006593687.tif 000002
【図２】
0006593687.tif 000003
【図３】
0006593687.tif 000004
【図４】
0006593687.tif 000005
【図５】
0006593687.tif 000006
【図６】
0006593687.tif 000007
【図７】
0006593687.tif 000008
【図８】
0006593687.tif 000009
【図９】
0006593687.tif 000010
【図１０】
0006593687.tif 000011
【図１１】
0006593687.tif 000012
【図１２】
0006593687.tif 000013
【図１３】
0006593687.tif 000014
【図１４】
0006593687.tif 000015
【図１５】
0006593687.tif 000016
【図１６】
0006593687.tif 000017
【図１７】
0006593687.tif 000018
【図１８】
0006593687.tif 000019
【図１９】
0006593687.tif 000020
【図２０】
0006593687.tif 000021
【図２１】
0006593687.tif 000022
【図２２】
0006593687.tif 000023
【図２３】
0006593687.tif 000024
【図２４】
0006593687.tif 000025
【図２５】
0006593687.tif 000026
【図２６】
0006593687.tif 000027
【図２７】
0006593687.tif 000028
【図２８】
0006593687.tif 000029
【図２９】
0006593687.tif 000030
【図３０】
0006593687.tif 000031
【図３１】
0006593687.tif 000032
【図３２】
0006593687.tif 000033
【図３３】
0006593687.tif 000034
【図３４】
0006593687.tif 000035
【図３５】
0006593687.tif 000036
【図３６】
0006593687.tif 000037
【図３７】
0006593687.tif 000038
【図３８】
0006593687.tif 000039
【図３９】
0006593687.tif 000040
【図４０】
0006593687.tif 000041
【図４１】
0006593687.tif 000042
【図４２】
0006593687.tif 000043
【図４３】
0006593687.tif 000044